(57)【要約】      （修正有）【課題】打撃面の耐久性を維持しつつ打感を向上させる。【解決手段】パッドの表面部材１０は、軟質材で一体に形成され、フレーム２０を覆うように配設される。表面部材１０は、打撃面Ｓ側に突出した複数の突起部１１を有し、隣接する突起部１１の根元部１１ｂ同士は接続部１３によって接続されている。【選択図】図２
2015045811.tif 000002
【特許請求の範囲】
【請求項１】
軟質材でなり、フレームを覆うように配設されてスティックにより打撃される表面部材を有し、
前記表面部材は、前記フレームに対向する側とは反対側である打撃面側に突出した複数の突起部と、隣接する前記突起部の少なくとも根元部同士を接続する接続部とを有することを特徴とするドラムパッド構造。
【請求項２】
前記突起部と前記接続部との連接部分の形状は、凹曲面形状または面取り形状であることを特徴とする請求項１記載のドラムパッド構造。
【請求項３】
前記突起部の各々は、その根元部の断面積よりも先端面の面積の方が狭いことを特徴とする請求項１または２記載のドラムパッド構造。
【請求項４】
前記打撃面のうち、単位面積当たりにおける前記突起部の先端面の面積の合計が、領域によって異なっていることを特徴とする請求項１〜３のいずれか１項に記載のドラムパッド構造。
【請求項５】
円形の前記表面部材の半径方向における中央の領域の方が、該中央の領域の外側の領域よりも、単位面積当たりにおける前記突起部の先端面の面積の合計が大きいことを特徴とする請求項４記載のドラムパッド構造。
【請求項６】
打撃時に前記スティックが２つ以上の前記突起部に当接するように、前記複数の突起部の大きさ及び配置密度を設定したことを特徴とする請求項１〜５のいずれか１項に記載のドラムパッド構造。
【請求項７】
軟質材でなり、フレームを覆うように配設されてスティックにより打撃される表面部材を有し、
前記表面部材には、前記フレームに対向する側とは反対側である打撃面側に開口した複数の穴が形成されたことを特徴とするドラムパッド構造。
【請求項８】
前記打撃面のうち、単位面積当たりにおける前記穴の面積の合計が占める割合が、領域によって異なっていることを特徴とする請求項７記載のドラムパッド構造。
【請求項９】
円形の前記表面部材の半径方向における中央の領域の方が、該中央の領域の外側の領域よりも、単位面積当たりにおける前記穴の面積の合計が占める割合が小さいことを特徴とする請求項８記載のドラムパッド構造。
【請求項１０】
前記複数の穴として、平面視形状の異なる複数種類の穴が存在することを特徴とする請求項７〜９のいずれか１項に記載のドラムパッド構造。
【発明の詳細な説明】
【技術分野】
【０００１】
本発明は、電子ドラムや打撃練習用ドラムに適用されるドラムパッド構造に関する。
【背景技術】
【０００２】
従来、電子ドラムや打撃練習用ドラムに適用されるドラムパッドには、打撃によるスティックの衝突音を抑制するため、ゴム等の軟質材を打撃面に配した構造が知られている。しかしアコースティックドラムのものと比べて打感が異なるため、少しでも打感を向上させるべく各種の工夫がなされている。
【０００３】
下記特許文献１では、弾性材からなるヘッドから、打撃面とは反対側に弾性突起を突出形成し、弾性突起の先端面に亘って補強板を配設している。
【先行技術文献】
【特許文献】
【０００４】
【特許文献１】特開２００４―２８７３５６号公報
【発明の概要】
【発明が解決しようとする課題】
【０００５】
しかしながら、打撃面側はヘッドの表面であってあくまで平坦な面であり、打感の向上には改善の余地がある。また、打感を向上させる上で、多数回の打撃に耐えられるよう、耐久性の確保は常に考慮しなければならない。
【０００６】
本発明は上記従来技術の問題を解決するためになされたものであり、その目的は、打撃面の耐久性を維持しつつ打感を向上させることができるドラムパッド構造を提供することにある。
【課題を解決するための手段】
【０００７】
上記目的を達成するために本発明の請求項１のドラムパッド構造は、軟質材でなり、フレーム（２０）を覆うように配設されてスティック（１９）により打撃される表面部材（１０）を有し、前記表面部材は、前記フレームに対向する側とは反対側である打撃面側に突出した複数の突起部（１１）と、隣接する前記突起部の少なくとも根元部（１１ｂ）同士を接続する接続部（１３）とを有することを特徴とする。
【０００８】
上記目的を達成するために本発明の請求項７のドラムパッド構造は、軟質材でなり、フレーム（２０）を覆うように配設されてスティックにより打撃される表面部材（１０）を有し、前記表面部材には、前記フレームに対向する側とは反対側である打撃面側に開口した複数の穴（１５）が形成されたことを特徴とする。
【０００９】
なお、上記括弧内の符号は例示である。
【発明の効果】
【００１０】
本発明の請求項１、７によれば、打撃面の耐久性を維持しつつ打感を向上させることができる。
【００１１】
請求項２によれば、突起部の根元への応力集中を抑制して耐久性を高めることができる。
【００１２】
請求項３によれば、突起部自体の強度を保ちつつ柔らかく跳ねの良い打感を実現することができる。
【００１３】
請求項４によれば、打感の硬さや耐久性を領域ごとに設定することができる。
【００１４】
請求項５、９によれば、中央の領域の耐久性を高めることができる。
【００１５】
請求項１０によれば、領域によって打感を異ならせる設定が容易となる。
【図面の簡単な説明】
【００１６】
【図１】本発明の第１の実施の形態に係るドラムパッド構造が適用される打撃用のパッドの模式的な上面図（図（ａ））、側面図（図（ｂ））である。
【図２】表面部材の一部の斜視図（図（ａ））、パッドの部分縦断面図（図（ｂ）、（ｃ））である。
【図３】突起部の形状の変形例を示す模式図である。
【図４】第２の実施の形態における表面部材の一部の斜視図（図（ａ））、パッドの部分縦断面図（図（ｂ））、変形例を示す図である（図（ｃ）、（ｄ））。
【発明を実施するための形態】
【００１７】
以下、本発明の実施の形態を図面を参照して説明する。
【００１８】
（第１の実施の形態）
図１（ａ）、（ｂ）は、本発明の第１の実施の形態に係るドラムパッド構造が適用される打撃用のパッドの模式的な上面図、側面図である。このパッドＰＤは、フレーム２０を覆うように表面部材１０が積層されてなる。表面部材１０の露出した表面が、スティック１９により打撃される打撃面Ｓとなる。
【００１９】
このパッドＰＤは平面視で円形状に形成され、上面全体がスティック１９により打撃され得る。通常、パッドＰＤの半径方向における中央領域Ｓ１は、中央領域Ｓ１より半径方向外側の外周領域Ｓ２よりも打撃頻度は高い。フレーム２０の下面に、ピエゾ素子等の打撃センサ１８が配設される。奏者がスティック１９でパッドＰＤを打撃すると、その打撃を打撃センサ１８が検出し、その検出信号に応じた楽音が不図示の楽音発生装置から発生する。
【００２０】
フレーム２０は、ＡＢＳ（Acrylonitrile Butadiene Styrene）やＰＰ（ポリプロピレン）等の硬質プラスチック、あるいは金属板でなり、打撃に対する十分な剛性を有する硬質のベース部である。表面部材１０は、フレーム２０の素材よりも軟らかい素材でなり、例えば、ＥＰＤＭ（エチレンプロピレンジエンゴム）やＣＲ（クロロプレンゴム）等のゴムやエラストマ、あるいはシリコンゴム等の軟質材でなる。フレーム２０の上面２０ａに表面部材１０の下面１０ａが接着等により固着されるが、固着の態様は問わず、インサート成形等でもよい。
【００２１】
このパッドＰＤは、一例としてスネアドラムとして利用されるが、これに限られない。また、パッドＰＤは練習用として用いることもでき、その場合は、机等に載置して打撃することもでき、電子的に発音させるための機構も必要とされない。また、打撃練習用としてならば、フレーム２０と固着されていない表面部材１０のみの状態で使用することも可能である。
【００２２】
図２（ａ）は、表面部材１０の一部の斜視図である。図２（ｂ）、（ｃ）は、パッドＰＤの部分縦断面図である。表面部材１０は、凸状の多数の突起部１１と隣接する突起部１１同士を接続する接続部１３とを有して一体に形成される。図２（ｂ）では突起部１１の断面が示され、図２（ｃ）では接続部１３の断面が示される。
【００２３】
突起部１１は、いずれも同じ形状で、フレーム２０に対向する側とは反対側である打撃面Ｓ側に突出しており、平面視で規則的に配置されている。隣接する突起部１１の根元部１１ｂ同士は、互いに接続部１３で接続されている。接続部１３は縦型のリブの形態を呈しており、突起部１１の強度を高める上で、材料費の削減に寄与している。
【００２４】
突起部１１の先端面１１ａは平坦面であり、いずれの先端面１１ａも面一である。全ての突起部１１の先端面１１ａの集合が、実質的に打撃面Ｓを構成することになる。突起部１１は、一例として水平断面が円形の円柱形であり、直径は１〜２ｍｍ程度である。ただし、突起部１１の大きさや形状、配列の態様は例示に限定されない。
【００２５】
すなわち、好ましい打感の実現のためには、打撃時にスティック１９が２つ以上の突起部１１に当接するように、複数の突起部１１の大きさ及び配置密度を設定するのがよい。一般のスティックの先端部（チップ）において想定される最小の曲率半径はおよそ４ｍｍである。隣接する突起部１１同士の最大隙間がスティックの先端部の曲率半径よりも小さくなるように、各突起部１１の形状及び配置位置を設定すればよい。
【００２６】
打撃面Ｓを打撃すると、複数の突起部１１の先端面１１ａをスティック１９が打撃することになり、打撃された突起部１１は弾性変形して適度の柔らかさを発揮する。これにより、一様な平坦面を打撃するのと比べて打感がよくなる。打撃面Ｓに対してスティック１９が斜めに振り降ろされると、突起部１１は根元部１１ｂから上側の部分が水平方向に撓むことになるが、突起部１１は接続部１３で接続されているので、各々が単独で突出形成されるのに比べて損傷しにくい。しかも、図２（ｂ）に示すように、突起部１１と接続部１３との連接部分１２の外郭形状は凹曲面形状（Ｒ形状）となっていて連接部分１２の強度が高くなっている。そのため、多数回の打撃に対しても、各々の突起部１１が連接部分１２でちぎれにくく、耐久性が高い。
【００２７】
本実施の形態によれば、表面部材１０は、隣接する突起部１１の根元部１１ｂ同士を接続部１３で接続して一体に形成したので、打撃面の耐久性を維持しつつ打感を向上させることができる。特に、突起部１１と接続部１３との連接部分１２の形状は、Ｒ形状であるので、連接部分１２への応力集中を抑制して耐久性を高めることができる。
【００２８】
なお、本実施の形態では、直交する２方向に一列に並ぶ突起部１１のうち隣接するもの同士が接続部１３で連結される構成であったが、突起部１１は、並び方向にかかわらず隣接する全てのもの同士が接続される構成であってもよいし、隣接する突起部１１のうち一部とだけ接続される構成であってもよい。
【００２９】
なお、本実施の形態では、表面部材１０には、上下方向に貫通する穴が接続部１３間に形成されるが、貫通する穴が生じないように表面部材１０の下部を肉部で埋めてもよい。すなわち、表面部材１０の下部を一枚の板状に構成し、その板状部分のうち突起部１１の下部に相当する部分が突起部１１の根元部１１ｂにも相当する構成としてもよい。その場合、板状部分のうち突起部１１の下部でない部分が接続部１３に相当することとなる。
【００３０】
図３（ａ）〜（ｅ）で、突起部１１の形状の変形例を示す。
【００３１】
図３（ａ）に示すように、突起部１１の根元部１１ｂと接続部１３との連接部分１２への応力集中を分散させる観点からは、連接部分１２の形状を、Ｒ形状ではなく、鋭角が生じないような形状、例えば面取り（Ｃ）形状としてもよい。
【００３２】
また、突起部１１は、高さ方向に一様の断面形状でなくてもよい。ただし、突起部１１を細くする等によって先端面１１ａの面積を小さくすれば、静音性や跳ねの良さが改善されるが、根元部１１ｂ近くまで細くすると突起部１１自体の強度が低くなる。そこで、突起部１１自体の強度を保ちつつ柔らかく跳ねの良い打感を実現する観点からは、突起部１１は、先端ほど尖る形状としてもよい。あるいは、根元部１１ｂの水平断面積よりも先端面１１ａの面積の方が狭くなるような形状としてもよい。
【００３３】
例えば、突起部１１の先端だけ錐状に尖らせる（図３（ｂ））か、あるいは、曲面状に尖らせる（図３（ｃ））。また、断面積が徐々に小さくなる側面視で台形形状（図３（ｅ））としてもよい。なお、図３（ｄ）に示すように、円柱形の突起部１１の先端面１１ａに凹部１４を形成し、それによって先端面１１ａの面積が小さくなるようにしてもよい。
【００３４】
なお、突起部１１の形状種類や配列態様（配置密度、並び方の規則性の有無等）は、打撃面Ｓの全面に亘って均一にすることは必須でなく、打撃領域によって異ならせてもよい。そうすれば、打感の硬さや耐久性を領域ごとに設定することができる。
【００３５】
単位面積当たりにおける突起部１１の先端面１１ａの面積が大きいと、硬い打感となり、跳ねの良さは抑制される。一方、アコースティックのドラムでは、中央に近いほど打感が柔らかい。これらを考慮して、打感を領域によって最適に設定し、アコースティックのものに近づけることも可能である。
【００３６】
例えば、中央領域Ｓ１の方が、外周領域Ｓ２よりも、単位面積当たりにおける突起部１１の先端面１１ａの面積の合計が小さくなるようにする。そうすれば、中央領域Ｓ１の打感が外周領域Ｓ２よりも柔らかくなる。これとは逆に、中央領域Ｓ１の方が、外周領域Ｓ２よりも、単位面積当たりにおける突起部１１の先端面１１ａの面積の合計が大きくなるようにしてもよい。そうすれば、打撃頻度の高い中央領域Ｓ１での摩耗による先端面１１ａの損傷を抑制でき、パッドＰＤの耐久性を高めることができる。これらの際、先端面１１ａの面積を所望に設定するために、突起部１１の形状には、円柱状だけでなく、図３（ｂ）〜（ｅ）の変形例のいずれかを混在させてもよい。
【００３７】
なお、先端面１１ａの面積の合計を領域ごとに分けるのは、３以上の領域に対して行ってもよい。また、そのように打感を領域ごとに分けた場合は特に、打撃センサを領域ごとに設け、複数の打撃センサの検出結果に基づいて楽音を制御するようにしてもよい。
【００３８】
なお、接続部１３は、突起部１１の少なくとも根元部１１ｂ同士を接続するものであればよく、突起部１１の下半部、あるいは上下方向全長に亘って接続する構成も除外されない。
【００３９】
（第２の実施の形態）
本発明の第２の実施の形態に係るドラムパッド構造では、表面部材１０の構成が第１の実施の形態とは異なり、パッドＰＤにおけるその他の部分の構成は第１の実施の形態と同じである。
【００４０】
図４（ａ）は、第２の実施の形態における表面部材１０の一部の斜視図である。図４（ｂ）は、パッドＰＤの部分縦断面図である。
【００４１】
表面部材１０には、打撃面Ｓ側に開口した複数の穴１５が形成されている。図４（ａ）、（ｂ）に示す例では、穴１５は、表面部材１０を上下方向に貫通している。穴１５の断面形状は四角形であるが、円形や他の形状であってもよい。この構成において、表面部材１０のうち穴１５でない肉部１６の上面１６ａの全体が、打撃面Ｓとなる。好ましい打感の実現のためには、打撃時にスティック１９が２つ以上の穴１５と対向するように、複数の穴１５の大きさ及び配置密度を設定するのがよい。穴１５の大きさは、突起部１１と同じ程度である。
【００４２】
打撃面Ｓを打撃すると、肉部１６の上面１６ａをスティック１９が打撃することになり、肉部１６は弾性変形して適度の柔らかさを発揮し、良好な打感を実現する。ここで、肉部１６は、第１の実施の形態でいうと、突起部１１及び接続部１３が一体に繋がったものと把握することができる。特に本実施の形態では、突起部１１に相当する部分と接続部１３に相当する部分とが表面部材１０の上下方向の全長に亘って連接しているので、打撃に対する肉部１６自体の強度は高い。そのため、肉部１６の一部を突起部とみなしたとしても、その突起部の強度は高い。
【００４３】
本実施の形態によれば、打撃面の耐久性を維持しつつ打感を向上させることに関し、第１の実施の形態と同様の効果を奏することができる。
【００４４】
なお、穴１５の形状や深さについては、図４（ｃ）、（ｄ）に示すような変形例を採用してもよい。まず、穴１５を貫通穴ではなく、図４（ｃ）に断面図を示すように、止まり穴としてもよい。表面部材１０の下部が１枚の板状に繋がるので、肉部１６の強度が高くなる。さらに、穴１５の穴底をＲ形状や面取り形状にすることで、肉部１６の強度が一層高まる。
【００４５】
なお、図４（ｄ）に斜視図を示すように、複数の穴１５として、平面視形状の異なる複数種類の穴が存在するようにしてもよい。これにより、領域によって打感を異ならせる設定が容易となる。
【００４６】
なお、穴１５の形状種類や配列態様（配置密度、並び方の規則性の有無等）は、打撃面Ｓの全面に亘って均一にすることは必須でなく、打撃領域によって異ならせてもよい。そうすれば、打感の硬さや耐久性を領域ごとに設定することができる。
【００４７】
打感の硬さや耐久性を領域ごとに設定できるようにするために、打撃面Ｓのうち、単位面積当たりにおける穴１５の面積の合計が占める割合を、領域によって異ならせてもよい。
【００４８】
例えば、中央領域Ｓ１の方が、外周領域Ｓ２よりも、単位面積当たりにおける穴１５の面積の合計が占める割合が小さくなるようにする。そうすれば、中央領域Ｓ１の打感が外周領域Ｓ２よりも柔らかくなる。これとは逆に、中央領域Ｓ１の方が、外周領域Ｓ２よりも、単位面積当たりにおける穴１５の面積の合計が占める割合が大きくなるようにしてもよい。そうすれば、打撃頻度の高い中央領域Ｓ１での摩耗による上面１６ａの損傷を抑制でき、パッドＰＤの耐久性を高めることができる。これらの際、穴１５の面積を所望に設定するために、穴１５の形状としては、図４（ａ）に示したもののほか、図４（ｄ）に例示したもの等を混在させてもよい。穴１５の大きさについても各種混在させてもよい。
【００４９】
なお、穴１５の面積の合計を領域ごとに分けるのは、３以上の領域に対して行ってもよい。また、そのように打感を領域ごとに分けた場合は特に、打撃センサを領域ごとに設け、複数の打撃センサの検出結果に基づいて楽音を制御するようにしてもよい。
【００５０】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００５１】
ＰＤ  パッド、  １０  表面部材、  １１  突起部、  １１ｂ  根元部、  １２  連接部分、  １３  接続部、  １５  穴、  １９  スティック、  ２０  フレーム
【図１】
2015045811.tif 000003
【図２】
2015045811.tif 000004
【図３】
2015045811.tif 000005
【図４】
2015045811.tif 000006